(57)【要約】【課題】排尿及び排便が容易な水着を提供すること。【解決手段】本発明に係る水着は、上半身部と下半身部が連結したワンピース型の水着において、着用者の脚部を通す左右の脚開口領域と；左右の脚開口領域の間に配置される股間領域とを備えている。そして、股間領域が、着用者の下腹部に相当する位置から尾骨に相当する位置に延びる分割線に渡って分離され、これによって右側股間部と左側股間部とが形成される。更に、右側股間部と左側股間部の分割線側（中心側）の端部が所定幅だけ互いに重なっている。【選択図】　図１
2004044014.tif 000002
【特許請求の範囲】
【請求項１】
上半身部と下半身部が連結したワンピース型の水着において、
前記着用者の脚部を通す左右の脚開口領域と；
前記左右の脚開口領域の間に配置される股間領域とを備え、
前記股間領域が、着用者の下腹部に相当する位置から尾骨に相当する位置に延びる分割線に渡って分離され、これによって右側股間部と左側股間部とが形成され、
前記右側股間部と左側股間部の前記分割線側（中心側）の端部が所定幅だけ互いに重なっていることを特徴とする水着。
【請求項２】
前記右側股間部と左側股間部とは、前記下腹部付近の前身頃側端部と前記尾骨付近の後身頃側端部のみが互いに接合されていることを特徴とする請求項１に記載の水着。
【請求項３】
前記右側股間部と左側股間部との重なり幅及び、前身頃側接合部と後身頃側接合部との間の長さは、通常使用時における着用者の股間部の露出を防止すべく、生地の伸縮性を考慮して設定されることを特徴とする請求項１又は２に記載の水着。
【請求項４】
前記右側股間部と左側股間部との前記重なり幅は、約７ｃｍ〜１０ｃｍに設定されることを特徴とする請求項３に記載の水着。
【請求項５】
前記右側股間部及び前記左側股間部の前身頃側接合部と後身頃側接合部との間の長さは、各々、約３０ｃｍ〜４０ｃｍに設定されることを特徴とする請求項３又は４に記載の水着。
【請求項６】
前記右側股間部と左側股間部とを重ねた状態で係止する係止手段を更に備えたことを特徴とする請求項１，２，３，４又は５に記載の水着。
【請求項７】
前記係止手段は、ループ部材とフック部材とから構成される面ファスナーであることを特徴とする請求項６に記載の水着。
【請求項８】
前記係止手段は、凸状の雄側部材と凹状の雌側部材とから構成されるスナップであることを特徴とする請求項６に記載の水着。
【発明の詳細な説明】
【０００１】
【発明の属する技術分野】
本発明は、上半身部と下半身部が連結したワンピース型の水着に関し、特に、排尿及び排便が容易になるように工夫された水着に関する。
【０００２】
【従来の技術】
一般に、水着を着用したまま排尿、排便することは容易ではない。特に高齢者や身体の不自由な女性にとっては、極めて困難である場合が多い。水着は、それ自体伸縮性があり身体にフィットするように作られており、また、水を含むと身体との摩擦抵抗が大きくなるためである。プールの水温は通常３０℃前後と体温より低く、下半身が冷えやすい。また、水圧によって膀胱が圧迫され、日常より排尿頻度が高くなるため、排尿の困難さは重要な問題となる。なお、プールに入った時に排尿、排便の頻度が高くなるのは、他に、身体全体の筋肉が弛緩することにより、排泄器官がゆるむためと考えられる。
【０００３】
ワンピース型の水着においては、水中において水着が上方に引っ張られ、圧力が着用者の股間から脚の付け根に延びるラインに集中し易くなる。これによって、着用感が悪くなるという問題もあった。
【０００４】
【発明が解決しようとする課題】
本発明は上記のような状況に鑑みてなされたものであり、排尿及び排便が容易な水着を提供することを第１の目的とする。
【０００５】
本発明の第２の目的は、着用者の股間部への圧力を分散して、装着感を向上させることができる水着を提供することにある。
【０００６】
【課題を解決するための手段】
上記のような課題を解決するために、本出願の請求項１に記載の水着は、上半身部と下半身部が連結したワンピース型の水着において、前記着用者の脚部を通す左右の脚開口領域と；前記左右の脚開口領域の間に配置される股間領域とを備えている。そして、前記股間領域が、着用者の下腹部に相当する位置から尾骨に相当する位置に延びる分割線に渡って分離され、これによって右側股間部と左側股間部とが形成される。更に、前記右側股間部と左側股間部の前記分割線側（中心側）の端部が所定幅だけ互いに重なっている。
【０００７】
股間領域が左右に分離されているため、当該分離部を左右に手で引っ張って開くことにより、着用者の股間部が露出する。これにより、水着を着用したまま、排尿、排便を行うことが可能となる。また、右側股間部と左側股間部とは、股間中心部において所定幅だけ重なっているため、通常使用時には着用者の股間が露出するようなことがない。
【０００８】
好ましくは、右側股間部と左側股間部とが、下腹部付近の前身頃側端部と尾骨付近の後身頃側端部のみが互いに接合して、右側股間部と左側股間部の非接合部を最大限まで広げる。
【０００９】
右側股間部と左側股間部との重なり幅及び、前身頃側接合部と後身頃側接合部との間の長さは、通常使用時における着用者の股間部の露出を防止すべく、生地の伸縮性を考慮して設定することが好ましい。例えば、右側股間部と左側股間部との重なり幅は、約７ｃｍ〜１０ｃｍ、右側股間部及び左側股間部の前身頃側接合部と後身頃側接合部との間の長さは、各々、約３０ｃｍ〜４０ｃｍに設定する。
【００１０】
伸縮性が高く伸びやすい素材を使用した場合には、重なり幅を大きくし、伸縮性が低く伸びにくい素材の場合には、重なり幅を狭くすることできる。重なり幅が大きすぎると、排尿、排便が困難となる。一方、重なり幅が狭すぎると、通常の着用時に股間部が露出し易くなってしまう。また、右側股間部及び左側股間部の前身頃側接合部と後身頃側接合部との間の長さ（高さ）が長すぎると、排尿、排便が容易となる反面、通常の着用時に着用者の股間が露出し易くなってしまう。一方、長さが短かすぎると、排尿、排便が困難となる。
【００１１】
本発明に係る水着は、股間部（股）が開放可能な構造となっているため、着用者の股間部への圧力が分散され、装着感を向上させることができる。
【００１２】
また、右側股間部と左側股間部とを重ねた状態で係止する係止手段を更に備えることにより、重なり幅のみに頼ることなく、不用意に股間部が露出することを確実に防止することができる。係止手段としては、股間部に異物感を与えることのない、面ファスナーや所謂スナップを用いることが好ましい。
【００１３】
係止手段を設けた場合には、上記のように、不用意に股間部が露出することを確実に防止できる。一方、係止手段を設けずに、右側股間部と左側股間部の重なりによって、股間部の露出を防止する構造の場合には、水着としての装着感に優れ、また、股間から脚の付け根に集中し易い圧力を効果的に分散（吸収、開放）することができる。
【００１４】
【発明の実施の形態】
以下、本発明について女性用のワンピースタイプの水着を実施例として説明する。なお、本発明の水着は女性用に何ら限定されるものではない。
【００１５】
図１は、本発明の実施例に係る水着１０の概略構造を示す斜視説明図である。
図２は、実施例に係る水着１０の構成を示す正面図である。図３は、実施例に係る水着１０の構成を示す背面図である。図４は、実施例に係る水着１０の下半身領域に使用される構成生地を示す説明図である。図５は、実施例に係る水着１０の使用状態（股間部開放状態）を示す部分斜視図である。
【００１６】
本実施例に係る水着１０は、上半身部と下半身部が連結したワンピース型の水着であり、着用者の上半身を覆う上半身領域１２と；着用者の下半身の右側を覆う下半身右側領域１４Ｒと；着用者の下半身の左側を覆う下半身左側領域１４Ｌとを備える。下半身右側領域１４Ｒと下半身左側領域１４Ｌとは、着用者の下腹部から尾骨に延びる股間部に沿って分離されている。更に、下半身右側領域１４Ｒと下半身左側領域１４Ｌとは、股間部において所定幅だけ重なるように配置されている。図において、符号１６は上半身領域１２の前側中央縦方向に延びるファスナーを示す。また、符号１５Ｒ，１５Ｌは、着用者の脚を通す左右の脚開口部を示す。
【００１７】
上半身領域１２は、前身頃１２Ｆと後身頃１２Ｂとから構成される。前身頃１２Ｆと後身頃１２Ｂとは、側部ラインに沿って縫い合わされている。後身頃１２Ｂは、図３に示すように、２枚の生地からなり、背骨に沿ったラインで縫い合わされている。前身頃１２Ｆは、図２の破線で示すように、浮力を与える部材１８を挿入可能な構造とすることもできる。部材１８としては、登録意匠第１０７０７３０号及び１０７０７３１号に示されたものを使用することができる。このような浮力付与部材１８を用いると、水中において水着１０が上方に引っ張られ、圧力が着用者の股間から脚の付け根に延びるライン２０（図１参照）に集中し易くなる。本実施例に係る水着１０は、股間部（股）が分割され開放可能な構造となっているため、着用者の股間部（２０）への圧力が分散され、装着感を向上させることができる。
【００１８】
上半身領域１２と下半身領域１４Ｒ，１４Ｌを構成する生地としては、伸縮性に優れた素材を使用する。例えば、伸縮性を有するナイロンもしくはポリエステルとポリウレタンの交編ツーウェイトリコットを使用することができる。
【００１９】
図４に示すように、下半身右側領域１４Ｒの股間側（中央側）端部には、帯状の右側股間部２４Ｒが設けられている。同様に、下半身左側領域１４Ｌの股間側（中央側）端部には、帯状の左側股間部２４Ｌが設けられている。そして、これらの股間部２４Ｒ，２４Ｌが、股間中央付近で重ね合わされる。これらの股間部２４Ｒ，２４Ｌの重ね合わせは、Ｕ字型をした一方の股間部の中に他方の股間部が入り込むような形となる。本実施例においては、左側股間部２４Ｌの中に右側股間部２４Ｒが入り、所謂「左前」の状態となっている。股間部２４Ｒ，２４Ｌの上端部同士が前後身頃側で各々縫い合わされる。すなわち、左右の股間部２４Ｒ，２４Ｌの前後上端部のみが上半身領域１２に対して固定され、それ以外の部分は自由な状態となり、伸長圧力を分散させることが可能となる。
【００２０】
右側股間部２４Ｒと左側股間部２４Ｌとの重なり幅Ｗ及び、前身頃側接合部と後身頃側接合部との間の長さ２Ｌは、通常使用時における着用者の股間部の露出を防止すべく、生地の伸縮性を考慮して設定することが好ましい。例えば、右側股間部２４Ｒと左側股間部２４Ｌとの重なり幅Ｗは、約７ｃｍ〜１０ｃｍとする。また、右側股間部２４Ｒ及び左側股間部２４Ｌの前身頃側接合部と後身頃側接合部との間の長さ２Ｌ（Ｌ×２）は、各々、約３０ｃｍ〜４０ｃｍに設定する。
【００２１】
伸縮性が高く伸びやすい素材を使用した場合には、右側股間部２４Ｒと左側股間部２４Ｌとの重なり幅Ｗを大きくし、伸縮性が低く伸びにくい素材の場合には、重なり幅Ｗを狭くすることできる。右側股間部２４Ｒと左側股間部２４Ｌとの重なり幅Ｗが大きすぎると、排尿、排便が困難となる。一方、重なり幅Ｗが狭すぎると、通常の着用時に股間部が露出し易くなってしまう。また、右側股間部２４Ｒ及び左側股間部２４Ｌの前身頃側接合部と後身頃側接合部との間の長さ２Ｌが長すぎると、排尿、排便が容易となる反面、通常の着用時に着用者の股間が露出し易くなってしまう。一方、長さが短すぎると、排尿、排便が困難となる。
【００２２】
本実施例に係る水着１０を着用した状態で排尿、排便をする場合には、図５に示すように、左側及び右側股間部２４Ｌ，２４Ｒを左右に手で引っ張って開くことにより、着用者の股間部が露出する。このため、水着１０を着用したまま、排尿、排便を行うことが可能となる。また、右側股間部２４Ｒと左側股間部２４Ｌとは、股間部中央において所定幅Ｗだけ重なっているため、通常使用時には着用者の股間部が露出するようなことがない。
【００２３】
図６は、本発明の他の実施例に係る水着の下半身領域に使用される構成生地を示す。本実施例において、上述した実施例と同一又は対応する構成要素については同一の参照符号を付し、重複した説明は省略する。本実施例のポイントは、右側股間部２４Ｒと左側股間部２４Ｌとを重ねた状態で係止する係止手段３０Ｒ，３０Ｌを備える点にある。係止手段３０Ｒ，３０Ｌとしては、股間部に異物感を与えることのない、面ファスナーや所謂スナップを用いることが好ましい。ここで、面ファスナーとは、表面に多数のループ状の突起を有する生地と、当該ループ状の突起と係合する多数のフック状突起を表面に有する生地とから構成される係止部材を言う。また、スナップとは、例えば、凸状の雄側部材と凹状の雌側部材とから構成される係止部材（ボタン）を言う。
【００２４】
以上のように、本実施例によれば、係止手段３０Ｒ，３０Ｌを備えているため、右側股間部２４Ｒと左側股間部２４Ｌとの重なり幅Ｗのみに頼ることなく、不用意に股間部が露出することを確実に防止することが可能となる。また、係止手段３０Ｒ，３０Ｌとして、面ファスナーや所謂スナップを用いることにより、開閉動作を煩雑にしたり、股間部に異物感を与えたりという不都合を回避することができる。
【００２５】
本出願においては、係止手段３０Ｒ，３０Ｌを備えた実施例（図６）と、係止手段を使用しない実施例（図４他）とを示している。係止手段を設けた場合には、上記のように、不用意に股間部が露出することを確実に防止できる。一方、係止手段を設けずに、右側股間部２４Ｒと左側股間部２４Ｌの重なりによって、股間部の露出を防止する構造の場合には、水着としての装着感に優れ、また、股間から脚の付け根に集中し易い圧力を効果的に分散（吸収、開放）することができる。
【００２６】
以上、本発明の実施例について説明したが、本発明はこれらの実施例に何ら限定されるものではなく、特許請求の範囲に示された技術的思想の範疇において変更可能なものである。特に、上半身側の構造に関しては、首周り、肩、背中部におけるデザイン等、種々の設計変更が可能である。
【図面の簡単な説明】
【図１】図１は、本発明の実施例に係る水着の概略構造を示す斜視説明図である。
【図２】図２は、実施例に係る水着の構成を示す正面図である。
【図３】図３は、実施例に係る水着の構成を示す背面図である。
【図４】図４は、実施例に係る水着の下半身領域に使用される構成生地を示す説明図である。
【図５】図５は、実施例に係る水着の使用状態（股間部開放状態）を示す部分斜視図である。
【図６】図６は、本発明の他の実施例に係る水着の下半身領域に使用される構成生地を示す説明図である。
【符号の説明】
１０　　　水着
１２Ｆ　　　上半身前身頃
１２Ｂ　　　上半身後身頃
１４Ｒ　　　下半身右側領域
１４Ｌ　　　下半身左側領域
２４Ｒ　　　右側股間部
２４Ｌ　　　左側股間部
３０Ｒ，３０Ｌ　　　スナップ（係止部材）
【図１】
2004044014.tif 000003
【図２】
2004044014.tif 000004
【図３】
2004044014.tif 000005
【図４】
2004044014.tif 000006
【図５】
2004044014.tif 000007
【図６】
2004044014.tif 000008